(57)【要約】【課題】従来の時計においては、時計が示す時刻を何気なく見た場合において、そこに付随的に示されている物理量がどの時刻を起点としたものであり、また現在時刻においてどのくらいの大きさになっているかを簡易に把握することができなかった。【解決手段】以上の課題を解決するために、時刻と後記する物理量を示すための両用目盛と、時刻に応じて両用目盛を指すための指針を駆動する指針駆動部と、所定時刻を起点とする物理量の情報を取得する物理量取得部と、前記所定時刻において前記指針が指す両用目盛の目盛位置を物理量の原点位置として、取得した物理量の大きさを両用目盛にて示すための物理量インディケータを駆動する物理量インディケータ駆動部と、を有する時計などを提案する。【選択図】図１
2012043096.tif 000002
【特許請求の範囲】
【請求項１】
時刻と後記物理量を示すための両用目盛と、
時刻に応じて両用目盛を指すための指針を駆動する指針駆動部と、
所定時刻を起点とする物理量の情報を取得する物理量取得部と、
前記所定時刻において前記指針が指す両用目盛の目盛位置を物理量の原点位置として、取得した物理量の大きさを両用目盛にて示すための物理量インディケータを駆動する物理量インディケータ駆動部と、
を有する時計。
【請求項２】
現在時刻において前記指針の指す両用目盛の目盛位置が現在時刻における物理量の目標レベルとなるような比率で物理量インディケータを駆動する第一駆動手段を有する請求項１に記載の時計。
【請求項３】
物理量インディケータ駆動部は、
前記物理量インディケータが前記目標レベルを示す両用目盛の目盛位置よりも大きな両用目盛の目盛位置を示すか否か判断する第一判断手段と、
第一判断手段の判断に応じて物理量インディケータの色を制御する第一色制御手段と、
をさらに有する請求項２に記載の時計。
【請求項４】
時刻と後記物理量を示すための両用目盛と、
時刻に応じて両用目盛を指すための指針を駆動する指針駆動部と、
所定時刻を起点とする物理量の情報を取得する物理量取得部と、
取得した物理量の情報に基づいて前記所定時刻から所定時間先の時刻の物理量を予測する物理量予測部と、
前記所定時刻において前記指針が指す両用目盛の目盛位置を物理量の原点位置として、予測した物理量の大きさを両用目盛にて示すための予測量インディケータを駆動する予測量インディケータ駆動部と、
を有する時計。
【請求項５】
前記所定時間先の時刻において前記指針の指す両用目盛の目盛位置が前記所定時間先の時刻における物理量の目標レベルとなるような比率で予測量インディケータを駆動する第二駆動手段を有する請求項４に記載の時計。
【請求項６】
予測量インディケータ駆動部は、
前記予測量インディケータが前記目標レベルとなる両用目盛の目盛位置よりも大きな両用目盛の目盛位置を示すか否か判断する第二判断手段と、
第二判断手段の判断に応じて予測量インディケータの色を制御する第二色制御手段と、
をさらに有する請求項５に記載の時計。
【請求項７】
物理量取得部は前記所定時刻から現在時刻までに消費された電力量を取得する電力量取得手段を有する請求項１から６のいずれか一に記載の時計。
【請求項８】
外部情報を取得する外部情報取得部と、
前記外部情報と前記指針の色とを関連付けた指針色情報を保持する指針色情報保持部と、をさらに有し、
指針駆動部は、前記外部情報と指針色情報に基づいて前記指針の色を制御する指針色制御手段を有する請求項１から７のいずれか一に記載の時計。
【請求項９】
前記指針は分針であることを特徴とする請求項１から８のいずれか一に記載の時計。
【請求項１０】
時刻と後記目標レベルに対する物理量の大きさを示すための対比両用目盛と、
時刻に応じて対比両用目盛を指すための指針を駆動する対比指針駆動部と、
所定時間単位の時間区分の物理量の目標レベルを取得する目標レベル取得部と、
現在時刻が属する時間区分の開始時刻から現在時刻までの物理量を、現在時刻が属する時間区分の終了時刻まで所定間隔で取得する対比物理量取得部と、
前記対比物理量取得部にて取得した物理量の現在時刻における目標レベルに対する大きさを対比両用目盛にて示すための対比物理量インディケータと、
現在時刻が属する時間区分の開始時刻において前記指針の指す対比両用目盛の目盛位置を前記目標レベルに対する物理量の大きさの原点位置とし、現在時刻において前記指針の指す対比両用目盛の目盛位置を現在時刻における物理量の目標レベルの目盛位置として、前記対比物理量インディケータを駆動する対比物理量インディケータ駆動部と、
を有する時計。
【請求項１１】
前記対比物理量インディケータは、対比両用目盛の各目盛位置に対応するように配置された発光要素であり、
前記対比物理量インディケータ駆動部は、前記原点位置から現在時刻における目標レベルに対する物理量の大きさの目盛位置まで、前記発光要素を点灯させることを特徴とする請求項１０に記載の時計。
【請求項１２】
前記対比物理量インディケータは、対比用目盛の各目盛位置に対応するように配置される発光要素であり、
前記対比物理量インディケータ駆動部は、現在時刻における目標レベルに対する物理量の大きさの目盛位置から現在時刻が属する時間区分の終了時刻において前記指針の指す対比両用目盛の目盛位置まで、前記発光要素を点灯させることを特徴とする請求項１０に記載の時計。
【請求項１３】
時刻と後記目標レベルに対する物理量の大きさを示すための対比両用目盛と、
時刻に応じて対比両用目盛を指すための指針を駆動する対比指針駆動部と、
所定時間単位の時間区分の物理量の目標レベルを取得する目標レベル取得部と、
現在時刻が属する時間区分の開始時刻から現在時刻までの物理量を、現在時刻が属する時間区分の終了時刻まで所定間隔で取得する対比物理量取得部と、
前記対比物理量取得部にて取得した物理量に基づいて現在時刻が属する時間区分の終了時刻の物理量を予測する対比物理量予測部と、
前記対比物理量予測部にて予測した物理量の現在時刻が属する時間区分の終了時刻における目標レベルに対する大きさを対比両用目盛にて示すための対比予測量インディケータと、
前記現在時刻が属する時間区分の開始時刻において前記指針の指す対比両用目盛の目盛位置を前記目標レベルに対する物理量の大きさの原点位置とし、現在時刻が属する時間区分の終了時刻において前記指針の指す対比両用目盛の目盛位置を現在時刻が属する時間区分の終了時刻における物理量の目標レベルの目盛位置として、前記対比予測量インディケータを駆動する対比予測量インディケータ駆動部と、
を有する時計。
【請求項１４】
前記対比予測量インディケータは、対比両用目盛の各目盛位置に対応するように配置された発光要素であり、
前記対比予測量インディケータ駆動部は、前記原点位置から現在時刻が属する時間区分の終了時刻において予測される物理量の目標レベルに対する大きさの目盛位置まで、前記発光要素を点灯させることを特徴とする請求項１３に記載の時計。
【請求項１５】
前記対比物理量取得部は、現在時刻が属する時間区分の開始時刻から現在時刻までの消費電力量又は発電量又は売電量又は買電量を取得する電力量取得手段を有する請求項１０から１４のいずれか一に記載の時計。
【請求項１６】
目標レベル取得部は、通信回線又は操作入力機器から所定時間単位の各時間区分の物理量の目標レベルの入力を受け付けて記憶する入力記憶手段を有する請求項１０から１５に記載の時計。
【発明の詳細な説明】
【技術分野】
【０００１】
本発明は、時刻と物理量の両方を示す時計に関する。
【背景技術】
【０００２】
従来から、置き時計や腕時計の種類に関係なく、時刻の情報に加えて物理量を表示することが可能な時計が知られている。【０００３】
例えば、特許文献１においては、一定期間に達成したい目標に対する現在の達成度を数値的に表示可能なデジタル形式の目標表示時計が開示されている。また、特許文献２においては、特定の目標日まであと何日あるのかを数値的に表示可能なアナログ形式のカウントダウン時計が開示されている。
【先行技術文献】
【特許文献】
【０００４】
【特許文献１】特開２００９−８５９３５
【特許文献２】特開平８−２２６９８２
【発明の概要】
【発明が解決しようとする課題】
【０００５】
しかしながら、従来の時計においては、時計が示す時刻を何気なく見た場合において、そこに付随的に示されている物理量がどの時刻を起点としたものか、また現在時刻においてどのくらいの大きさになっているかなどを簡易に把握することができなかった。このため、特に子供などはその物理量について関心を持ちにくく、物理量の情報をうまく活用できないケースが多かった。
【課題を解決するための手段】
【０００６】
以上の課題を解決するために、時刻と後記する物理量を示すための両用目盛と、時刻に応じて両用目盛を指すための指針を駆動する指針駆動部と、所定時刻を起点とする物理量の情報を取得する物理量取得部と、前記所定時刻において前記指針が指す両用目盛の目盛位置を物理量の原点位置として、取得した物理量の大きさを両用目盛にて示すための物理量インディケータを駆動する物理量インディケータ駆動部と、を有する時計を提案する。【０００７】
また、時刻と後記する物理量を示すための両用目盛と、時刻に応じて両用目盛を指すための指針を駆動する指針駆動部と、所定時刻を起点とする物理量の情報を取得する物理量取得部と、取得した物理量の情報に基づいて前記所定時刻から所定時間先の時刻の物理量を予測する物理量予測部と、前記所定時刻において前記指針が指す両用目盛の目盛位置を物理量の原点位置として、予測した物理量の大きさを両用目盛にて示すための予測量インディケータを駆動する予測量インディケータ駆動部と、を有する時計を提案する。【０００８】
また、時刻と後記目標レベルに対する物理量の大きさを示すための対比両用目盛と、時刻に応じて両用目盛を指すための指針を駆動する指針駆動部と、所定時間単位の各時間区分の物理量の目標レベルを取得する目標レベル取得部と、現在時刻が属する時間区分の開始時刻から現在時刻までの物理量を、現在時刻が属する時間区分の終了時刻まで所定間隔で取得する対比物理量取得部と、前記対比物理量取得部にて取得した物理量の現在時刻における目標レベルに対する大きさを対比両用目盛にて示すための対比物理量インディケータと、現在時刻が属する時間区分の開始時刻において前記指針の指す対比両用目盛の目盛位置を前記目標レベルに対する物理量の大きさの原点位置とし、現在時刻において前記指針の指す対比両用目盛の目盛位置を現在時刻における物理量の目標レベルの目盛位置として、前記対比物理量インディケータを駆動する物理量インディケータ駆動部と、を有する時計を提案する。【０００９】
また、時刻と後記目標レベルに対する物理量の大きさを示すための対比両用目盛と、時刻に応じて両用目盛を指すための指針を駆動する指針駆動部と、所定時間単位の各時間区分の物理量の目標レベルを取得する目標レベル取得部と、現在時刻が属する時間区分の開始時刻から現在時刻までの物理量を、現在時刻が属する時間区分の終了時刻まで所定間隔で取得する対比物理量取得部と、前記対比物理量取得部にて取得した物理量に基づいて現在時刻が属する時間区分の終了時刻の物理量を予測する対比物理量予測部と、前記対比物理量予測部にて予測した物理量の現在時刻が属する時間区分の終了時刻における目標レベルに対する大きさを対比両用目盛にて示すための対比予測量インディケータと、前記現在時刻が属する時間区分の開始時刻において前記指針の指す対比両用目盛の目盛位置を前記目標レベルに対する物理量の大きさの原点位置とし、現在時刻が属する時間区分の終了時刻において前記指針の指す対比両用目盛の目盛位置を現在時刻が属する時間区分の終了時刻における物理量の目標レベルの目盛位置として、前記対比予測量インディケータを駆動する対比予測量インディケータ駆動部と、を有する時計を提案する。
【発明の効果】
【００１０】
以上の構成をとる本発明によって、時計を何気なく見た場合においても、どの時刻を起点とした物理量であり、現在時刻においてどのくらいの大きさになっているかなどを簡易に把握することが可能になる。
【図面の簡単な説明】
【００１１】
【図１】実施形態１の時計の概要を示す図
【図２】実施形態１の時計の機能ブロックの一例を示す図
【図３】実施形態１の時計の他の例を示す図（１）
【図４】実施形態１の時計の他の例を示す図（２）
【図５】実施形態１の時計のハードウェア構成の一例を示す図
【図６】実施形態１の時計の処理の流れの一例を示す図
【図７】実施形態２の時計の概要を示す図
【図８】実施形態２の時計の機能ブロックの一例を示す図
【図９】実施形態２の時計の処理の流れの一例を示す図
【図１０】実施形態３の時計の機能ブロックの一例を示す図
【図１１】実施形態３の時計の処理の流れの一例を示す図
【図１２】実施形態４の時計の概要を示す図
【図１３】実施形態４の時計の機能ブロックの一例を示す図
【図１４】実施形態４の時計の処理の流れの一例を示す図
【図１５】実施形態５の時計の概要を示す図
【図１６】実施形態５の時計の機能ブロックの一例を示す図
【図１７】実施形態５の時計の処理の流れの一例を示す図
【図１８】実施形態６の時計の機能ブロックの一例を示す図
【図１９】実施形態６の時計の処理の流れの一例を示す図
【図２０】実施形態７の時計の機能ブロックの一例を示す図
【図２１】実施形態７の時計の処理の流れの一例を示す図
【図２２】実施形態８の時計の機能ブロックの一例を示す図
【図２３】実施形態８の時計の処理の流れの一例を示す図
【図２４】実施形態９の時計の機能ブロックの一例を示す図
【図２５】目標レベル取得部が取得する目標レベルの情報を表す図
【図２６】実施形態９の時計の一例を示す図
【図２７】実施形態９の時計の処理の流れの一例を示す図
【図２８】実施形態１０の時計の機能ブロックの一例を示す図
【図２９】実施形態１０の時計の他の例を示す図（１）
【図３０】実施形態１０の時計の他の例を示す図（２）
【図３１】実施形態１０の時計の処理の流れの一例を示す図
【発明を実施するための形態】
【００１２】
以下に、本発明の実施形態を説明する。実施形態と請求項の相互の関係は、以下のとおりである。実施形態１は、主に請求項１、９に対応する。実施形態２は、主に請求項２、９に対応する。実施形態３は、主に請求項３、９に対応する。実施形態４は、主に請求項４、９に対応する。実施形態５は、主に請求項５、９に対応する。実施形態６は、主に請求項６、９に対応する。実施形態７は、主に請求項７、９に対応する。実施形態８は、主に請求項８、９に対応する。実施形態９は、主に請求項１０、１１、１２、１５、１６に対応する。実施形態１０は、主に請求項１３、１４、１５、１６に対応する。なお、本発明はこれらの実施形態に何ら限定されるものではなく、その要旨を逸脱しない範囲内において、様々な態様で実施しうる。
【００１３】
＜＜実施形態１＞＞
【００１４】
＜概要＞
図１は、本実施形態の時計の概要を示す図である。この図にあるように、本実施形態の「時計」は、１２時３０分を起点とした物理量について、３０分において「分針」０１０１が指す「両用目盛」０１０２の目盛位置（３０番目の目盛位置）を物理量の原点位置として、物理量の大きさを「両用目盛」０１０２にて示すための「物理量インディケータ」０１０３を駆動する構成を有している。当該構成を有することにより、時計を何気なく見た場合においても、どの時刻を起点とした物理量であり、現在時刻においてどのくらいの大きさになっているかを簡易に把握することが可能になる。
【００１５】
＜構成＞
図２は、本実施形態の時計の機能ブロックの一例を示す図である。この図にあるように、本実施形態の「時計」０２００は、「両用目盛」０２０１と、「指針」０２０２と、「指針駆動部」０２０３と、「物理量取得部」０２０４と、「物理量インディケータ」０２０５と、「物理量インディケータ駆動部」０２０６と、から構成される。
【００１６】
「両用目盛」は、時刻と後記する物理量を示すための目盛である。つまり、一の目盛により時刻と物理量を示すことが可能である。両用目盛を配置する位置は、図１に示すように時刻表示用文字盤の縁とすることが主として考えられるが、時刻と物理量を示すことが可能であれば特にこれに限定されるものではない。両用目盛の数は、一般的な時計と同様に６０とすることが考えられるが、その倍数となる目盛数とすることも可能であるし（例えば、１２０）、その公約数となる目盛数とすることも可能である（例えば、１２）。
【００１７】
また、両用目盛の目盛一つ分に対する物理量の大きさ（両用目盛と物理量の比率）は任意に設定することが可能である。両用目盛と物理量の比率の一例としては、基本単位時間を示す両用目盛の目盛数（例えば、目盛１個）に対して、基本単位時間当たりに変化すると見込まれる物理量の単位（例えば、１ｋＷｈ）とすることが考えられる。また、所定の時間区分に相当する両用目盛の目盛数（例えば、目盛３０個）に対して、当該所定の時間区分において目標とすべき物理量の大きさ（例えば、５ｋＷｈ）とすることも考えられる。
【００１８】
「指針駆動部」は、時刻に応じて両用目盛を指すための指針を駆動する。ここで、指針とは、時針、分針、秒針のいずれかをいうものである。なお、指針駆動部が駆動する指針が例えば分針であるとしても、時針、秒針がないことを意味するものではない。また、指針駆動部の指針の形状は必ずしも針形状とする必要はなく、両用目盛において時刻を指し示すことが可能なものであれば足りる。例えば、時刻に対応するよう両用目盛の目盛位置近辺に表示される小さな光点やアイコンなども含まれるものである。指針の駆動手段としては、指針が物理的なものであればステップモーターなどが主として考えられる。また、時刻表示用文字盤をディスプレイとして表示出力する構成も考えられる。
【００１９】
「物理量取得部」は、所定時刻を起点とした物理量の情報を取得する。取得する物理量としては種々考えられるが、例えば、所定時刻を起点とした発電量や売電量、買電量、消費電力量などや、所定時刻を起点とした走行距離や泳いだ距離、所定時刻を起点とした歩数や腕立て伏せの回数、スクワットの回数などが挙げられるが、これらに限定されるものではない。ここで、所定時刻は固定的なものではない。例えば、１２時１５分を起点とした走行距離の情報を取得している場合において１２時３０分になった場合、今度は１２時３０分を起点とした走行距離の情報を取得する、といった構成も考えられる。
【００２０】
物理量を取得する構成としては、温度センサや加速度センサなどの検知器を介して取得する構成や、有線又は無線の通信回線を介して取得する構成、操作入力機器を介して取得する構成が考えられる。
【００２１】
なお、物理量を取得する構成として、内部処理装置の演算処理を介して取得する構成も含まれるものである。例えば、所定時刻及び現在時刻においてＧＰＳ受信機を介して各時刻における緯度・経度の情報を取得し、所定時刻から現在時刻までの移動量を内部演算処理により算出することが考えられる。また、所定時刻及び現在時刻において電力量モニターを介して各時刻までの電力消費量の情報を取得し、所定時刻から現在時刻までに消費された電力量を算出することも考えられる。
【００２２】
「物理量インディケータ駆動部」は、前記所定時刻において前記指針が指す両用目盛の目盛位置を物理量の原点位置として、取得した物理量の大きさを両用目盛にて示すための物理量インディケータを駆動する。ここでいう前記指針とは、指針駆動部にて駆動される指針をいうものであり、時針、分針、秒針のいずれかに該当する。
【００２３】
例えば、前記所定時刻が午後５時１５分３０秒である場合は、分針が指す１５分の両用目盛の目盛位置（１５番目の目盛位置）を物理量の原点位置とすることが考えられる。なお、物理量の変化を秒単位で示したい場合は秒針が指す３０秒の目盛位置（３０番目の目盛位置）を物理量の原点位置とし、時単位で示したい場合は時針が指す５時の目盛位置（５番目の目盛位置）を物理量の原点位置とすることも可能である。この場合、指針駆動部にて駆動される指針は、それぞれ秒針、時針を意味するものである。
【００２４】
物理量インディケータとしては、例えば図１に示したように、時計文字盤の両用目盛の各目盛位置に対応するように発光要素を配置する構成が考えられる。この場合、物理量の大きさに応じて、原点位置から所定の目盛位置まで発光要素を点灯させたり、原点位置の発光要素と所定の目盛位置の発光要素のみを点灯させたりすることが考えられる。なお、発光要素の材料としては、ＬＥＤ素子やＥＬ素子などを用いることが考えられる。また、図３に示すように、「物理量インディケータ」０３０１として、時計文字盤の内側に「両用目盛」０３０２に対応するように発光要素を設ける構成も可能であるし、時計文字盤の両用目盛上に発光要素を設ける構成も可能である。なお、物理量インディケータはディスプレイ機能により表示出力させる構成も可能である。
【００２５】
また、両用目盛を利用して表す物理量が複数ある場合は、各物理量を両用目盛にて示すために複数の物理量インディケータを設ける構成も可能である。例えば、図４に示すように物理量１について時計文字盤の外側にある円環状に配置された「物理量インディケータＡ」０４０１でその大きさを示し、物理量２についてはさらに外側にある円環状に配置された「物理量インディケータＢ」０４０２でその大きさを示す構成が考えられる。また、さらに物理量が存在する場合は時計文字盤の内側にある物理量インディケータでその大きさを示すことも可能である。当該構成とすることにより、時計を一見するだけで複数の物理量の大きさを把握することが可能になる。
【００２６】
＜具体的な構成＞
図５は、上記時計の機能的な各構成をハードウェアとして実現した際の構成の一例を示す概略図である。この図を利用して、それぞれのハードウェア構成部の働きについて説明する。
【００２７】
この図にあるように、時計は、「ＣＰＵ」０５０１と、「ＲＡＭ」０５０２と、「ＲＯＭ」０５０３と、「不揮発性メモリ」０５０４と、「水晶発振器」０５０５と、「指針制御回路」０５０６と、「指針駆動機構」０５０７と、「発光制御回路」０５０８と、「発光器」０５０９と、「通信器」０５１０と、を備える。当該構成は、「システムバス」０５１１のデータ通信経路によって相互に接続され、情報の送受信や処理を行う。ここで、発光器は、時計文字盤の各目盛位置付近に配置された複数の発光要素からなる。
【００２８】
ＣＰＵは、水晶発振器からの信号に基づいて指針制御回路に対して所定タイミングで制御信号を送信する。制御信号を受け取った指針制御回路は指針駆動機構を介して指針を制御する。
【００２９】
また、ＣＰＵは、通信器を介して所定時刻を起点とする物理量の情報を取得し、ＲＡＭに格納する。続いて、ＣＰＵは、上記所定時刻において分針が指し示す両用目盛の目盛位置を物理量の原点位置として設定する処理を行う。さらに、ＣＰＵは、取得した物理量の大きさに応じて点灯させるべき発光要素数を決定する処理を行う。さらに、ＣＰＵは、発光制御回路に対して、上記原点位置を基準として上記発光要素数の発光要素を点灯させるための制御信号を出力する。制御信号を受信した発光制御回路は点灯させるべき発光要素を点灯させる。
【００３０】
＜処理の流れ＞
図６は、時刻と物理量を示すための両用目盛を備える時計における処理の流れを示すフローチャートである。同図の処理の流れは以下のステップからなる。最初にステップＳ０６０１では、時刻に応じて両用目盛を指すための指針を駆動する（指針指示ステップ）。次にステップＳ０６０２では、所定時刻を起点とした物理量の情報を取得する（物理量取得ステップ）。次にステップＳ０６０３では、前記所定時刻において前記指針が指す両用目盛の目盛位置を物理量の原点位置として、取得した物理量の大きさを両用目盛にて示すための物理量インディケータを駆動する（物理量表示ステップ）。
【００３１】
＜効果＞
本実施形態の時計により、当該構成を有することにより、時計を何気なく見た場合においても、どの時刻を起点とした物理量であり、現在時刻においてどのくらいの大きさになっているかを簡易に把握することが可能になる。
【００３２】
＜＜実施形態２＞＞
【００３３】
＜概要＞
本実施形態の時計は、基本的に実施形態１で示した時計と同様であるが、図７に示すように、現在時刻（１０時２３分０９秒）において「分針」の指す「両用目盛」の「目盛位置（２３番目の目盛位置）」０７０１が「現在時刻における物理量（１８番目の目盛位置）」０７０２の「目標レベル」となるような比率（両用目盛と物理量の比率）で「物理量インディケータ」を駆動している。当該構成とすることにより、現在時刻の物理量が現在時刻における物理量の目標レベルに対してどれくらいであるかを容易に把握することが可能になる。
【００３４】
＜構成＞
図８は、本実施形態の時計の機能ブロックの一例を示す図である。この図にあるように、本実施形態の「時計」０８００は、「両用目盛」０８０１と、「指針」０８０２と、「指針駆動部」０８０３と、「物理量取得部」０８０４と、「物理量インディケータ」０８０５と、「物理量インディケータ駆動部」０８０６と、から構成され、「物理量インディケータ駆動部」は「第一駆動手段」０８０７を有する。以下、実施形態１との相違点である第一駆動手段について説明する。
【００３５】
「第一駆動手段」は、現在時刻において前記指針の指す両用目盛の目盛位置が現在時刻における物理量の目標レベルとなるような比率で物理量インディケータを駆動する。
【００３６】
実施形態１で述べたように、物理量インディケータは、取得した物理量の大きさを両用目盛にて示すためのものである。取得した物理量は目標レベルと対比するとさらに理解しやすい値となる。また、現在時刻における物理量の目標レベルを指針の指す両用目盛に対応させることにより、指針と物理量インディケータを対比して現在時刻における物理量が目標レベルと比較してどれくらいであるかを即座に把握することが可能になる。
【００３７】
一例として、６時００分から６時３０分までの消費電力量の目標レベルが６０ｋＷｈである場合を考える。この場合、６時００分から６時３０分までの任意の時刻の目標レベルを算出することが可能である。例えば、６時２０分における目標レベルは４０ｋＷｈであると算出できる。ここで、２０分における現実の消費電力量が３０ｋＷｈである場合は、現実の消費電力量は目標レベルの３／４である。よって、物理量インディケータは、両用目盛の１５分の目盛位置（１５番目の目盛位置）を指し示すことになる。これにより、物理量インディケータの位置から６時２０分現在における消費電力量は目標とする消費電力量の３／４であると判断することが可能になる。
【００３８】
上記駆動手段において用いる物理量の目標レベルの情報は、予め内部の記憶装置にて保持しておくことも可能であるし、有線又は無線の通信回線を介して外部装置から取得する構成も可能であるし、操作入力機器を介して操作入力を受け付けることや、ＵＳＢメモリなどの記憶装置などを介して取得することも可能である。なお、一の時刻における物理量の目標レベルを他の時刻における物理量の目標レベルに基づいて算出することも、目標レベルの取得の態様として含まれるものである。
【００３９】
＜具体的な構成＞
本実施形態の時計のハードウェア構成は、基本的に図５を用いて説明した実施形態１の時計のハードウェア構成と共通する。以下、実施形態１との相違点である処理について説明する。
【００４０】
ＣＰＵは、不揮発性メモリに格納されている各時間区分の物理量の目標レベルのデータをＲＡＭに読み出す。続いて、現在時刻における物理量の目標レベルを、現在時刻が属する時間区分の目標レベルのデータに基づいて算出する処理を行う。例えば、６時００分から６時３０分までの時間区分の消費電力量の目標レベルが６０ｋＷｈである場合は、６時２０分現在における目標レベルは４０ｋＷｈであると算出する。
【００４１】
さらにＣＰＵは、現在時刻における現実の物理量の値に対する現在時刻における目標レベルの値の比率を算出する処理を行い、処理結果をＲＡＭに格納する。また、物理量の原点位置となる両用目盛の目盛位置と、現在時刻において分針が指し示す両用目盛の目盛位置と、上記算出された比率に基づいて、原点位置となる両用目盛の目盛位置に配置された発光要素を基準として点灯させるべき発光要素を決定する処理を行う。  
【００４２】
＜処理の流れ＞
図９は、本実施形態の時刻と物理量を示すための両用目盛を備える時計における処理の流れを示すフローチャートである。同図の処理の流れは以下のステップからなる。最初にステップＳ０９０１では、時刻に応じて両用目盛を指すための指針を駆動する（指針指示ステップ）。次にステップＳ０９０２では、所定時刻を起点とした物理量の情報を取得する（物理量取得ステップ）。次にステップＳ０９０３では、前記所定時刻において前記指針が指す両用目盛の目盛位置を物理量の原点位置として、かつ、現在時刻において前記指針の指す両用目盛の目盛位置が現在時刻における物理量の目標レベルとなるような比率で、取得した物理量の大きさを両用目盛にて示すための物理量インディケータを駆動する（物理量対比表示ステップ）。
【００４３】
＜効果＞
本実施形態の時計により、実施形態１の効果に加えて、現在時刻の物理量が現在時刻における物理量の目標レベルに対してどれくらいであるかを容易に把握することが可能になる。
【００４４】
＜＜実施形態３＞＞
【００４５】
＜概要＞
本実施形態の時計は、基本的に実施形態２の時計と同様であるが、物理量インディケータが目標レベルを示す両用目盛の目盛位置よりも大きな両用目盛の目盛位置を示すか否かに応じて物理量インディケータの色を制御することが可能である。当該構成とすることにより、物理量インディケータの色の変化により、目標レベルに対する物理量の大小を容易に把握することが可能になる。
【００４６】
＜構成＞
図１０は、本実施形態の時計の機能ブロックの一例を示す図である。この図にあるように、本実施形態の「時計」１０００は、「両用目盛」１００１と、「指針」１００２と、「指針駆動部」１００３と、「物理量取得部」１００４と、「物理量インディケータ」１００５と、「物理量インディケータ駆動部」１００６と、から構成され、「物理量インディケータ駆動部」は「第一駆動手段」１００７と「第一判断手段」１００８と「第一色制御手段」１００９を有する。以下、実施形態１、２との相違点である第一判断手段と第一色制御手段について説明する。
【００４７】
「第一判断手段」は、前記物理量インディケータが前記目標レベルを示す両用目盛の目盛位置よりも大きな両用目盛の目盛位置を示すか否か判断する。
【００４８】
「第一色制御手段」は、第一判断手段の判断に応じて物理量インディケータの色を制御する。当該制御は、例えば指針基準判断手段の判断と物理量インディケータの色とを関連付けたデータ（例えばテーブルデータ）に基づいて行うことが可能である。
【００４９】
＜具体的な構成＞
本実施形態の時計のハードウェア構成は、基本的に図５を用いて説明した実施形態１の時計のハードウェア構成と共通する。以下、実施形態１から３との相違点である処理について説明する。
【００５０】
ＣＰＵは、現在時刻における目標レベルの値と物理量の値を比較して、物理量インディケータが目標レベルとなる両用目盛よりも大きな両用目盛を示すか否か判断する処理を行い、処理結果をＲＡＭに格納する。
【００５１】
さらにＣＰＵは、ＲＯＭに格納されている上記処理により発生しうる判断結果（大きいか、否か）と物理量インディケータの色とを関連付けたテーブルデータをＲＡＭに読み出し、上記処理結果とテーブルデータに基づいて物理量インディケータの色を決定する処理を行う。
【００５２】
さらにＣＰＵは、発光制御回路に対して物理量インディケータの色を指定する信号を出力する。色を指定する信号を受信した発光制御回路は発光要素の色を制御する処理を行う。
【００５３】
＜処理の流れ＞
図１１は、時刻と物理量を示すための両用目盛を備える時計における処理の流れを示すフローチャートである。同図の処理の流れは以下のステップからなる。最初にステップＳ１１０１では、時刻に応じて両用目盛を指すための指針を駆動する（時刻指示ステップ）。次にステップＳ１１０２では、所定時刻を起点とした物理量の情報を取得する（物理量取得ステップ）。次にステップＳ１１０３では、前記所定時刻において前記指針が指す両用目盛の目盛位置を物理量の原点位置として、かつ、現在時刻において前記指針の指す両用目盛の目盛位置が現在時刻における物理量の目標レベルとなるような比率で、取得した物理量の大きさを両用目盛にて示すための物理量インディケータを駆動する（物理量対比表示ステップ）。次にステップＳ１１０４では、前記物理量インディケータが前記目標レベルを示す両用目盛の目盛位置よりも大きな両用目盛の目盛位置を示すか否か判断する（物理量対比判断ステップ）。次にステップＳ１１０５では、物理量対比判断ステップでの判断に応じて物理量インディケータの色を制御する（物理量色制御ステップ）。
【００５４】
＜効果＞
本実施形態の時計により、実施形態１、２の効果に加えて、物理量インディケータの色の変化により、目標レベルに対する物理量の大小を直感的に把握することが可能になる。
【００５５】
＜＜実施形態４＞＞
【００５６】
＜概要＞
図１２は、本実施形態の時計の概要を示す図である。この図にあるように、本実施形態の「時計」は、１２時３０分を起点とした物理量について、３０分において「分針」１２０１が指す「両用目盛」１２０２の目盛位置（３０番目の目盛位置）を物理量の原点位置として、１３時００分において取得されると予測される物理量の大きさを「両用目盛」１２０２にて示すための「予測量インディケータ」１２０３を駆動する構成を有している。当該構成を有することにより、時計を何気なく見た場合においても、どの時刻を起点とした予測物理量であり、先の時刻において予測される物理量の大きさはどのくらいかを簡易に把握することが可能になる。
【００５７】
＜構成＞
図１３は、本実施形態の時計の機能ブロックの一例を示す図である。この図にあるように、本実施形態の「時計」１３００は、「両用目盛」１３０１と、「指針」１３０２と、「指針駆動部」１３０３と、「物理量取得部」１３０４と、「物理量予測部」１３０５と、「予測量インディケータ」１３０６と、「予測量インディケータ駆動部」１３０７と、から構成される。以下、実施例１から３との相違点である、物理量予測部と、予測量インディケータ駆動部について説明する。
【００５８】
「物理量予測部」は、取得した物理量の情報に基づいて前記所定時刻から所定時間先の時刻の物理量を予測する。ここで、所定時間先の時刻としては、現在時刻が属する時間区分の終了時刻（例えば、１２時３０分から１３時００分の時間区分の終了時刻である１３時００分）とすることが考えられるが、これに限定されるものではない。
【００５９】
一例として、前記所定時刻から現在時刻までに発電された電力量に基づいて所定時間先の時刻までに発電される電力量を予測することが考えられる。具体的には、前記所定時刻から現在時刻までの物理量の変化を一次関数又は多次関数でフィッティングする処理を行い、所定時刻先の時刻の物理量を予測することが考えられる。例えば、３時００分から３時１５分までに５ｋＷｈの電力量が発電された場合は、一次関数でフィッティングする処理を行い、３時３０分までに１０ｋＷｈの電力量が発電されると予測することが考えられる。また、３時００分から３時１０分までに１ｋＷｈの電力量が発電され、３時００分から３時２０分までに４ｋＷｈの電力量が発電された場合は、二次関数でフィッティングする処理を行い、３時３０分までに９ｋＷｈの電力量が発電されると予測することが考えられる。また、所定時刻から現在時刻までの物理量のデータをさらに利用して高次元関数でフィッティングする処理を行い、所定時間先の時刻の物理量を予測することも可能である。
【００６０】
「予測量インディケータ駆動部」は、前記所定時刻において前記指針が指す両用目盛の目盛位置を物理量の原点位置として、予測した物理量の大きさを両用目盛にて示すための予測量インディケータを駆動する。
【００６１】
予測量インディケータのその他の具体的な構成は物理量インディケータと同様である。なお、予測量インディケータと物理量インディケータを両方備える構成とすることも考えられる。
【００６２】
例えば、予測量インディケータを時計文字盤の外側に設け、物理量インディケータを時計文字盤の内側に設ける構成が考えられる。当該構成とすることにより、現在時刻の物理量と所定時刻から所定時間先の時刻の物理量を一見して把握することが可能になる。
【００６３】
＜具体的な構成＞
本実施形態の時計のハードウェア構成は、基本的に図５を用いて説明した実施形態１の時計のハードウェア構成と共通する。
【００６４】
ＣＰＵは、水晶発振器からの信号に基づいて指針制御回路に対して所定タイミングで制御信号を送信する。制御信号を受け取った指針制御回路は指針駆動機構を介して指針を制御する。
【００６５】
また、ＣＰＵは、通信器を介して所定時刻を起点とする物理量の情報を取得し、ＲＡＭに格納する。続いて、ＣＰＵは、上記所定時刻において分針が指し示す両用目盛の目盛位置を物理量の原点位置として設定する処理を行う。さらに、ＣＰＵは、取得した物理量のデータに基づいて、所定時刻から現在時刻までの物理量の変化を関数でフィッティングする処理を行い、前記所定時刻から所定時間先の時刻の予測物理量を算出する処理を行い、処理結果をＲＡＭに格納する。さらに、ＣＰＵは、予測物理量の大きさに応じて点灯させるべき発光要素数を決定する処理を行う。さらに、ＣＰＵは、発光制御回路に対して、上記原点位置を基準として上記発光要素数の発光要素を点灯させるための制御信号を出力する。制御信号を受信した発光制御回路は点灯させるべき発光要素を点灯させる。
【００６６】
＜処理の流れ＞
図１４は、本実施形態の時刻と物理量を示すための両用目盛を備える時計における処理の流れを示すフローチャートである。同図の処理の流れは以下のステップからなる。最初にステップＳ１４０１では、時刻に応じて両用目盛を指針で指す（時刻指示ステップ）。次にステップＳ１４０２では、所定時刻を起点とする物理量の情報を取得する（物理量取得ステップ）。次にステップＳ１４０３では、取得した物理量の情報に基づいて前記所定時刻から所定時間先の時刻の物理量を予測する（物理量予測ステップ）。次にステップＳ１４０４では、前記所定時刻において前記指針が指す両用目盛の目盛位置を物理量の原点位置として、予測した物理量の大きさを両用目盛にて示すための予測量インディケータを駆動する（予測量表示ステップ）。
【００６７】
＜効果＞
本実施形態の時計により、時計を何気なく見た場合においても、どの時刻を起点とした物理量であり、所定時刻から所定時間先の時刻においてどのくらいの大きさになると予測されるかを簡易に把握することが可能になる。
【００６８】
＜＜実施形態５＞＞
【００６９】
＜概要＞
本実施形態の時計は、基本的に実施形態４で示した時計と同様であるが、図１５に示すように、物理量の起点となる所定時刻（１０時００分）から所定時間先（３０分先）の時刻において「分針」の指す「両用目盛」の「目盛位置（３０番目の目盛位置）」１５０１が「上記所定時間先の時刻における物理量（３６番目の目盛位置）」１５０２の「目標レベル」となるような比率（両用目盛と物理量の比率）で「予測量インディケータ」を駆動している。当該構成とすることにより、先の時刻において予測される物理量が先の時刻における物理量の目標レベルに対してどれくらいであるかを容易に把握することが可能になる。
【００７０】
＜構成＞
図１６は、本実施形態の時計の機能ブロックの一例を示す図である。この図にあるように、本実施形態の「時計」１６００は、「両用目盛」１６０１と、「指針」１６０２と、「指針駆動部」１６０３と、「物理量取得部」１６０４と、「物理量予測部」１６０５と、「予測量インディケータ」１６０６と、「予測量インディケータ駆動部」１６０７と、から構成され、「予測量インディケータ駆動部」は「第二駆動手段」１６０８を有する。以下、実施例１から４との相違点である第二駆動手段について説明する。
【００７１】
「第二駆動手段」は、前記所定時間先の時刻において前記指針の指す両用目盛の目盛位置が前記所定時間先の時刻における物理量の目標レベルとなるような比率で予測量インディケータを駆動する。
【００７２】
実施形態４で述べたように、予測量インディケータは、前記所定時刻において前記指針が指す両用目盛の目盛位置を物理量の原点位置として、予測した物理量の大きさを両用目盛にて示すためのものである。上記予測物理量は上記所定時間先の時刻における物理量の目標レベルと対比するとさらに理解しやすい値となる。また、所定時間先の時刻における物理量の目標レベルを所定時間先の時刻において指針の指す両用目盛の目盛位置に対応させることにより、当該両用目盛の目盛位置と予測量インディケータと対比して先の時刻における予測物理量が目標レベルと比較してどれくらいであるかを即座に把握することが可能になる。
【００７３】
一例として６時００分から６時３０分までの消費電力量の目標レベルが６０ｋＷｈである場合を考える。６時００分から６時１５分までの消費電力量の値が２０ｋＷｈである場合、一次関数によるフィッティングを行い、６時３０分において４０ｋＷｈの電力量が消費されると予測される。ここで、６時３０分において分針の指す両用目盛の目盛位置（３０番目の目盛位置）が目標レベルである６０ｋＷｈに対応しているため、予測量インディケータは４０ｋＷｈを表す両用目盛の目盛位置である２０番目の両用目盛の目盛位置をその点灯範囲で示すことになる。これにより、予測量インディケータの位置から６時１５分現在において予測される６時３０分の消費電力量は目標とする消費電力量の２／３であると判断することが可能になる。
【００７４】
上記第二駆動手段において用いる所定時間先の物理量の目標レベルの情報は、有線又は無線の通信回線を介して外部装置から取得する構成とすることも可能であるし、操作入力機器を介して操作入力を受け付けることや、ＵＳＢメモリなどの記憶装置などから取得することも可能である。また、一の時刻における物理量の目標レベルを他の時刻における物理量の目標レベルに基づいて算出することも、目標レベルの取得の態様として含まれるものである。
【００７５】
＜具体的な構成＞
本実施形態の時計のハードウェア構成は、基本的に図５を用いて説明した実施形態１の時計のハードウェア構成と共通する。以下、実施形態４との相違点である処理について説明する。
【００７６】
ＣＰＵは、不揮発性メモリに格納されている各時間区分の終了時刻における物理量の目標レベルのデータをＲＡＭに読み出す。さらにＣＰＵは、現在の時刻が属する時間区分の終了時刻において取得されると予測される物理量を算出する。さらにＣＰＵは、終了時刻における予測物理量の値に対する終了時刻における目標レベルの値の比率を算出する処理を行い、処理結果をＲＡＭに格納する。また、物理量の原点位置となる両用目盛の目盛位置と、終了時刻において分針が指し示す両用目盛の目盛位置と、上記算出された比率に基づいて、原点位置となる両用目盛の目盛位置に配置された発光要素を基準として点灯させるべき発光要素を決定する処理を行う。  
【００７７】
＜処理の流れ＞
図１７は、本実施形態の時刻と物理量を示すための両用目盛を備える時計における処理の流れを示すフローチャートである。同図の処理の流れは以下のステップからなる。最初にステップＳ１７０１では、時刻に応じて両用目盛を指針で指す（時刻指示ステップ）。次にステップＳ１７０２では、所定時刻を起点とする物理量の情報を取得する（物理量取得ステップ）。次にステップＳ１７０３では、取得した物理量の情報に基づいて前記所定時刻から所定時間先の時刻の物理量を予測する（物理量予測ステップ）。次にステップＳ１７０４では、前記所定時刻において前記指針が指す両用目盛の目盛位置を物理量の原点位置とし、かつ、前記所定時間先の時刻において前記指針の指す両用目盛の目盛位置が前記所定時間先の時刻における物理量の目標レベルとなるような比率で、予測した物理量の大きさを両用目盛にて示すための予測量インディケータを駆動する（予測量対比表示ステップ）。
【００７８】
＜効果＞
本実施形態の時計により、実施形態４の効果に加えて、先の時刻において予測される物理量が先の時刻における物理量の目標レベルに対してどれくらいであるかを容易に把握することが可能になる。
【００７９】
＜＜実施形態６＞＞
【００８０】
＜概要＞
本実施形態の時計は、基本的に実施形態５の時計と同様であるが、予測量インディケータが目標レベルを示す両用目盛の目盛位置よりも大きな両用目盛の目盛位置を示すか否かに応じて予測量インディケータの色を制御することが可能である。当該構成とすることにより、予測量インディケータの色の変化により、目標レベルに対する予測物理量の大小を容易に把握することが可能になる。
【００８１】
＜構成＞
図１８は、本実施形態の時計の機能ブロックの一例を示す図である。この図にあるように、本実施形態の「時計」１８００は、「両用目盛」１８０１と、「指針」１８０２と、「指針駆動部」１８０３と、「物理量取得部」１８０４と、「物理量予測部」１８０５と、「予測量インディケータ」１８０６と、「予測量インディケータ駆動部」１８０７と、から構成され、「予測量インディケータ駆動部」は「第二駆動手段」１８０８と、「第二判断手段」１８０９と、「第二色制御手段」１８１０を有する。以下、実施例１から５との相違点である第二判断手段と、第二色制御手段について説明する。
【００８２】
「第二判断手段」は、前記予測量インディケータが前記目標レベルとなる両用目盛の目盛位置よりも大きな両用目盛の目盛位置を示すか否か判断する。
【００８３】
「予測量インディケータ色制御手段」は、第二判断手段の判断に応じて予測量インディケータの色を制御する。当該制御は、第二判断手段から出力され得る判断の区分と予測量インディケータの色とを関連付けたデータ（例えばテーブルデータ）に基づいて行うことが可能である。
【００８４】
＜具体的な構成＞
本実施形態の時計のハードウェア構成は、基本的に図５を用いて説明した実施形態１の時計のハードウェア構成と共通する。以下、実施形態４、５との相違点である処理について説明する。
【００８５】
ＣＰＵは、所定時刻より所定時間先の時刻における目標レベルの値と予測物理量の値を比較して、予測量インディケータが目標レベルとなる両用目盛の目盛位置よりも大きな両用目盛の目盛位置を示すか否か判断する処理を行い、処理結果をＲＡＭに格納する。
【００８６】
さらにＣＰＵは、ＲＯＭに格納されている上記処理により発生しうる判断結果（大きいか、否か）と予測量インディケータの色とを関連付けたテーブルデータをＲＡＭに読み出し、上記処理結果とテーブルデータに基づいて予測量インディケータの色を決定する処理を行う。
【００８７】
さらにＣＰＵは、発光制御回路に対して予測量インディケータの色を指定する信号を出力する。色を指定する信号を受信した発光制御回路は発光要素の色を制御する処理を行う。
【００８８】
＜処理の流れ＞
図１９は、本実施形態の時刻と物理量を示すための両用目盛を備える時計における処理の流れを示すフローチャートである。同図の処理の流れは以下のステップからなる。最初にステップＳ１９０１では、時刻に応じて両用目盛を指針で指す（時刻指示ステップ）。次にステップＳ１９０２では、所定時刻を起点とする物理量の情報を取得する（物理量取得ステップ）。次にステップＳ１９０３では、取得した物理量の情報に基づいて前記所定時刻から所定時間先の時刻の物理量を予測する（物理量予測ステップ）。次にステップＳ１９０４では、前記所定時刻において前記指針が指す両用目盛の目盛位置を物理量の原点位置とし、かつ、前記所定時間先の時刻において前記指針の指す両用目盛の目盛位置が前記所定時間先の時刻における物理量の目標レベルとなるような比率で、予測した物理量の大きさを両用目盛にて示すための予測量インディケータを駆動する（予測量対比表示ステップ）。次にステップＳ１９０５では、前記予測量インディケータが前記目標レベルとなる両用目盛の目盛位置よりも大きな両用目盛の目盛位置を示すか否か判断する（予測量対比判断ステップ）。次にステップＳ１９０６では、予測量対比判断ステップの判断に応じて予測量インディケータの色を制御する（予測量色制御ステップ）。
【００８９】
＜効果＞
本実施形態の時計により、実施形態５の効果に加えて、予測量インディケータの色の変化により、目標レベルに対する予測物理量の大小を容易に把握することが可能になる。
【００９０】
＜＜実施形態７＞＞
【００９１】
＜概要＞
本実施形態の時計は、物理量取得部は前記所定時刻から現在時刻までに消費された電力量を取得することを特徴とする。当該構成とすることにより、時計を何気なく見た場合においても、どの時刻を起点とした消費電力量であり、現在時刻においてどのくらいの大きさになっているかを簡易に把握することが可能になる。
【００９２】
＜構成＞
図２０は、本実施形態の時計の機能ブロックの一例を示す図である。この図にあるように、本実施形態の「時計」２０００は、「両用目盛」２００１と、「指針」２００２と、「指針駆動部」２００３と、「物理量取得部」２００４と、「物理量インディケータ」２００５と、「物理量インディケータ駆動部」２００６と、から構成され、「物理量取得部」は「電力量取得手段」２００７を有する。なお、実施形態４の構成を基本とする構成も可能である。以下、実施形態１から６との相違点である電力量取得手段について説明する。
【００９３】
「電力量取得手段」は、前記所定時刻から現在時刻までに消費された電力量を取得する。取得した消費電力量の情報は揮発性メモリにおいて一時的に保持する構成とすることも可能であるし、不揮発性メモリにおいて長期的に保持する構成とすることも可能である。
【００９４】
例えば、３０分単位で消費電力量を取得する場合を考える。この場合、３時００分から消費した電力量を３時３０分まで所定間隔（例えば、１分ごと）で取得し、新たに３時３０分から消費した電力量を４時００分まで所定間隔で取得する。このように、電力量取得手段は特定の時間区分で消費電力量を取得することが可能である。
【００９５】
また、本実施形態の時計は、前記所定時刻から現在時刻までに消費された電力量に関する目標レベルを取得する消費目標レベル取得部を合わせて有する構成も可能である。当該目標レベルは、有線又は無線の通信回線を介して取得することも可能であるし、内部の記憶装置から取得することも可能である。
【００９６】
また、特定の時間区分で消費電力量を取得する場合は、特定の時間区分ごとに目標レベルを取得する構成も考えられる。例えば、３時００分から３時３０分までの消費電力量の目標レベルと３時３０分から４時００分までの消費電力量の目標レベルをそれぞれ取得することが考えられる。
【００９７】
目標レベルとする値は、過去の電気の使用履歴に基づいて決定する構成も可能である。例えば、過去所定期間（例えば、過去２週間）の各時間区分の消費電力量を参照して時間区分ごとに最小値を算出し、各時間区分の目標レベルとして設定することが考えられる。また、過去所定期間の各時間区分について平均値を算出し、各時間区分の目標レベルとして設定することも考えられる。また、各曜日の各時間区分で目標レベルを設定する構成も考えられる。この場合、過去所定期間（例えば、過去１カ月）の各曜日の各時間区分の消費電力量を参照して各曜日の時間区分ごとに最小値（平均値なども可能）を算出し、各曜日の各時間区分の目標レベルとして設定する構成が考えられる。
【００９８】
＜具体的な構成＞
本実施形態の時計のハードウェア構成は、基本的に図５を用いて説明した実施形態１の時計のハードウェア構成と共通する。以下、実施形態１から７との相違点である処理について説明する。
【００９９】
ＣＰＵは、通信器を介して所定時刻までの消費電力量と現在時刻までの消費電力量を取得し、ＲＡＭに格納する。続いて、ＣＰＵは前記所定時刻から現在時刻までに消費された電力量を算出する処理を行い、ＲＡＭに格納する。続いて、ＣＰＵは、上記所定時刻において分針が指し示す両用目盛の目盛位置を前記所定時刻から現在時刻までに消費された電力量の原点位置として設定する処理を行う。さらに、ＣＰＵは、前記所定時刻から現在時刻までに消費された電力量の大きさに応じて点灯させるべき発光要素数を決定する処理を行う。さらに、ＣＰＵは、発光制御回路に対して、上記原点位置を基準として上記発光要素数の発光要素を点灯させるための制御信号を出力する。制御信号を受信した発光制御回路は点灯させるべき発光要素を点灯させる。
【０１００】
＜処理の流れ＞
図２１は、時刻と物理量を示すための両用目盛を備える時計における処理の流れを示すフローチャートである。同図の処理の流れは以下のステップからなる。最初にステップＳ２１０１では、時刻に応じて両用目盛を指すための指針を駆動する（指針指示ステップ）。次にステップＳ２１０２では、前記所定時刻から現在時刻までに消費された電力量を取得する（消費電力量取得ステップ）。次にステップＳ２１０３では、前記所定時刻において前記指針が指す両用目盛の目盛位置を前記所定時刻から現在時刻までに消費された電力量の原点位置として、前記所定時刻から現在時刻までに消費された電力量の大きさを両用目盛にて示すための物理量インディケータを駆動する（消費電力量表示ステップ）。なお、実施形態４の処理の流れを基本とする処理の流れも可能である。
【０１０１】
＜効果＞
本実施形態の時計により、当該構成を有することにより、時計を何気なく見た場合においても、どの時刻を起点とした消費電力量であり、現在時刻においてどのくらいの大きさになっているかを簡易に把握することが可能になる。
【０１０２】
＜＜実施形態８＞＞
【０１０３】
＜概要＞
本実施形態の時計は、基本的に実施形態１、４の時計と同様であるが、外部情報を取得し、外部情報と指針の色とを関連付けた指針色情報に基づいて指針の色を制御する構成を有する。当該構成により、外部情報を指針の色で表すことが可能になる。
【０１０４】
＜構成＞
図２２は、本実施形態の時計の機能ブロックの一例を示す図である。この図にあるように、本実施形態の「時計」２２００は、「両用目盛」２２０１と、「指針」２２０２と、「指針駆動部」２２０３と、「物理量取得部」２２０４と、「物理量インディケータ」２２０５と、「物理量インディケータ駆動部」２２０６と、「外部情報取得部」２２０７と、「指針色情報保持部」２２０８と、から構成され、「指針駆動部」は「指針色制御手段」２２０９を有する。なお、実施形態４の構成を基本とする構成も可能である。以下、実施形態１から７との相違点である外部情報取得部と、指針色情報保持部と、指針色制御部について説明する。
【０１０５】
「外部情報取得部」は、外部情報を取得する。ここで、外部情報としては、例えば気温・湿度・降水確率・日射量・風速・気圧・波の高さなどの天気の情報や、発電量・売電量・買電量・消費電力量などの電気の情報、テレビ・照明装置・空調装置などの電化製品の稼働状況の情報など種々の情報が考えられる。ここで、外部情報は物理量取得部で取得する物理量とは異なる情報であり、物理量が消費電力量である場合は外部情報取得部では消費電力量以外の情報（例えば、発電量などの情報）を取得する。
【０１０６】
外部情報の取得は有線又は無線の通信回線を介して行うことも可能であるし、操作入力機器を介して受け付けることや、内部記憶装置から取得することも可能である。また、外部情報を取得することには、既に存在する情報に対して内部処理装置により処理を行うことにより新たな情報を生成することも含まれる。
【０１０７】
なお、取得する外部情報の種類は一種類である必要はなく、複数の種類の外部情報を取得する構成も可能である。例えば、天気の情報に合わせて電化製品の稼働状況の情報を取得することも考えられる。
【０１０８】
「指針色情報保持部」は、前記外部情報と前記指針の色とを関連付けた指針色情報を保持する。例えば、降水確率が２０％未満である場合は指針の色を青色にし、降水確率が２０〜６０％の範囲である場合は指針の色を黄色にし、降水確率が６０％以上である場合は指針の色を赤色にする、といった対応付けを指針色情報にて行うことが考えられる。
【０１０９】
また、電気を発電して、かつ、売電している場合は指針の色を青色にし、電気を発電して、かつ、買電している場合は指針の色を黄色にし、電気を発電していない場合は指針の色を赤色にする、といった対応付けを指針色情報にて行うことも可能である。なお、複数の種類の外部情報を取得する場合は、各外部情報に応じた指針色対応情報を保持することが考えられる。
【０１１０】
「指針色制御手段」は、前記外部情報と指針色情報に基づいて前記指針の色を制御する。
【０１１１】
＜具体的な構成＞
本実施形態の時計のハードウェア構成は、基本的に図５を用いて説明した実施形態１の時計のハードウェア構成と共通する。以下、実施形態１との相違点である処理について説明する。
【０１１２】
ＣＰＵは、通信器を介して外部情報を取得して、ＲＡＭに格納する。続いて、ＣＰＵは、ＲＯＭに格納されている前記外部情報と前記指針の色とを関連付けた指針色情報を読み出して、ＲＡＭに格納する。さらに、ＣＰＵは、取得した外部情報と指針色情報に基づいて指針の色を決定する処理を行い、処理結果をＲＡＭに格納する。さらに、ＣＰＵは、決定された指針の色を指定するための信号を指針制御回路に出力する。指針の色を指定するための信号を受信した指針制御回路は、指針を指定された色に制御する。
【０１１３】
＜処理の流れ＞
図２３は、時刻と物理量を示すための両用目盛を備える時計における処理の流れを示すフローチャートである。同図の処理の流れは以下のステップからなる。最初にステップＳ２３０１では、時刻に応じて両用目盛を指すための指針を駆動する（指針指示ステップ）。次にステップＳ２３０２では、所定時刻を起点とした物理量の情報を取得する（物理量取得ステップ）。次にステップＳ２３０３では、前記所定時刻において前記指針が指す両用目盛の目盛位置を物理量の原点位置として、取得した物理量の大きさを両用目盛にて示すための物理量インディケータを駆動する（物理量表示ステップ）。次にステップＳ２３０４では、外部情報を取得する（外部情報取得ステップ）。次にステップＳ２３０５では、前記外部情報と前記外部情報と前記指針の色とを関連付けた指針色情報に基づいて前記指針の色を制御する（指針色制御ステップ）。なお、実施形態４の処理の流れを基本とする処理の流れも可能である。
【０１１４】
＜効果＞
本実施形態の時計により、当該構成を有することにより、実施形態１、４の効果に加えて、外部情報を指針の色で表すことが可能になる。
【実施形態９】
【０１１５】
＜概要＞
本実施形態は、請求項１０から１２、１５、１６に記載の発明を把握しやすくするために、上記実施形態１から８に記載の内容をまとめたものである。なお、本実施形態にて追記した内容は、実施形態１から８に記載の対応する構成についても適用することが可能である。
【０１１６】
＜構成＞
図２４は、本実施形態の時計の機能ブロックの一例を示す図である。この図にあるように、本実施形態の「時計」２４００は、「対比両用目盛」２４０１と、「指針」２４０２と、「対比指針駆動部」２４０３と、「対比物理量取得部」２４０４と、「対比物理量インディケータ」２４０５と、「対比物理量インディケータ駆動部」２４０６と、から構成される。
【０１１７】
「対比両用目盛」は、時刻と後記目標レベルに対する物理量の大きさを示すための目盛である。対比両用目盛は、実施形態１、２などで説明した両用目盛に対応する。なお、対比両用目盛は時計の文字盤に描かれたものが主として考えられるが、時計の文字盤がディスプレイ機能を有する場合は、対比両用目盛は当該ディスプレイを介して表示出力されたものであってもよい。
【０１１８】
「対比指針駆動部」は、時刻に応じて対比両用目盛を指すための指針を駆動する機能を有する。対比指針駆動部は、実施形態１、２などで説明した指針駆動部に対応する。時刻に応じて指針を駆動する具体的な方法としては、実施形態１に記載したように、水晶発振器からの信号に基づいて指針制御回路に対して所定タイミングで制御信号を送信し、制御信号を受け取った指針制御回路が指針駆動機構を介して指針を制御する方法が考えられる。
【０１１９】
なお、現在時刻の情報は、処理演算装置において、上記水晶発振器からの信号をタイマでカウントすることによって取得することが可能であるが、これに限定されるものではない。例えば、一般的な電波時計のように所定周波数の電波信号を通信手段により受信することで時刻情報を取得してもよい。また、インターネット回線や有線・無線ＬＡＮを介して外部装置から時刻情報を受信してもよい。現在時刻の情報は、対比物理量取得部や、対比物理量インディケータなどにおいて用いられる。
【０１２０】
「目標レベル取得部」は、所定時間単位の時間区分の物理量の目標レベルを取得する機能を有する。実施形態２で述べたように、物理量の目標レベルの情報は、予め内部の記憶装置にて保持しておくことも可能であるし、有線又は無線の通信回線を介して外部装置から取得する構成も可能であるし、操作入力機器を介して操作入力を受け付けることや、ＵＳＢメモリなどの記憶装置などを介して取得することも可能である。換言すると、目標レベル取得部は、通信回線又は操作入力機器から所定時間単位の時間区分の物理量の目標レベルの入力を受け付けて記憶する手段（入力記憶手段）を有する。
【０１２１】
具体的には、目標レベル取得部は、物理量の取得を開始する開始時刻及び終了時刻（又は開始時刻からの時間間隔）を操作入力機器又は通信機器を介して取得する。また、開始時刻及び終了時刻などで定まる時間区分の目標レベルの値を操作入力機器又は通信機器を介して取得する。なお、目標レベルの値は、過去の物理量の最小値や最大値、平均値などに基づいて算出されてもよい。
【０１２２】
図２５は、目標レベル取得部が取得する目標レベルの情報を表す図である。この図の例では、目標レベルの情報は、３０分単位の各時間区分とその時間区分の目標レベルが関連付けられたテーブルになっている。対比物理量取得部や対比物理量インディケータ駆動部は、目標レベルの情報から、各時間区分の開始時刻や終了時刻を判断したり、各時間区分の物理量の目標レベルの値を取得したりすることが可能である。また、各時間区分の時間単位は、３０分以外にも１５分や２０分など任意の時間間隔を指定することが可能である。なお、所定時間単位の時間区分の数は複数である必要はなく、ひとつであってもよい。
【０１２３】
「対比物理量取得部」は、現在時刻が属する時間区分の開始時刻から現在時刻までの物理量を、現在時刻が属する時間区分の終了時刻まで所定間隔で取得する機能を有する。対比物理量取得部は、実施形態１、２などで説明した物理量取得部に対応する。対比物理量取得部は、例えば実施形態６で述べたように、現在時刻が属する時間区分の開始時刻から現在時刻までの消費電力量を、現在時刻が属する終了時刻まで所定間隔で取得することが考えられる。また、実施形態１などの物理量取得部と同様に、対比物理量取得部は、消費電力量、発電量、売電量、買電量を取得する手段（電力量取得手段）を有していてもいい。なお、対比物理量取得部が取得する物理量は、各時間区分の開始時刻を起点とする量であれば足り、時間区分の開始時刻からの走行距離、泳いだ距離、歩数、腕立て伏せの回数、スクワットの回数などであってもよい。
【０１２４】
また、対比物理量取得部は、実施形態１などで説明したように、検知器から直接的に物理量のデータを取得してもよいし、検知器から物理量のデータを取得する外部装置から有線又は無線の通信手段を介して間接的に取得してもよいし、操作入力機器を介して取得してもよい。
【０１２５】
また、物理量は、水やガスの使用量や、消費電力量から発電量を差し引いた量とすることも可能である。この場合、「対比物理量取得部」は、現在時刻が属する時間区分の開始時刻から現在時刻までの水又はガスの使用量や消費電力量から発電量を差し引いた量を、現在時刻が属する時間区分の終了時刻まで所定間隔で取得することが可能である。なお、物理量は、消費電力量や発電量、売電量、買電量、水やガスの使用量などの数値に対して単価をかけて算出される料金の値であってもよい。当該単価の情報は時間帯の情報と関連付けてテーブルとして予め内部の記憶装置にて保持しておくことも可能であるし、有線又は無線の通信回線を介して外部装置から取得する構成も可能であるし、操作入力機器を介して操作入力を受け付けることや、ＵＳＢメモリなどの記憶装置などを介して取得することも可能である。
【０１２６】
物理量を取得する開始時刻と終了時刻を定める時間区分の情報や、物理量を取得する所定間隔の情報は、予め内部の記憶装置にて保持しておくことも可能であるし、有線又は無線の通信回線を介して外部装置から取得する構成も可能であるし、操作入力機器を介して操作入力を受け付けることや、ＵＳＢメモリなどの記憶装置などを介して取得することも可能である。当該時間区分及び所定間隔の情報と、時刻情報を用いることによって、現在時刻が属する時間区分の開始時刻から現在時刻までの物理量を現在時刻が属する時間区分の終了時刻まで所定間隔で取得することが可能になる。
【０１２７】
「対比物理量インディケータ」は、前記対比物理量取得部にて取得した物理量の現在時刻における目標レベルに対する大きさを対比両用目盛にて示すためのものである。対比物理量インディケータは、実施形態１、２で説明した物理量インディケータに対応する。実施形態２で述べたように、取得した物理量は目標レベルと対比するとさらに理解しやすく、現在時刻における物理量の目標レベルを指針の指す両用目盛に対応させることにより、指針と物理量インディケータを対比して現在時刻における物理量が目標レベルと比較してどれくらいであるかを即座に把握することが可能になる。
【０１２８】
なお、目標レベルに対する物理量の大きさに応じて対比物理量インディケータの色を制御する構成とすることも可能である。例えば、目標レベルに対して０〜６０％である場合は対比物理量インディケータを青色とし、目標レベルに対して６０〜８０％である場合は緑色とし、目標レベルに対して８０〜１００％である場合は橙色とし、目標レベルに対して１００％〜である場合は赤色とすることが考えられる。当該制御は、目標レベルに対する物理量の大きさと対比物理量インディケータの色を関連付けたテーブルに基づいて行う。なお、目標レベルに対する物理量の大きさが対比両用目盛１周分以上になった場合は対比物理量インディケータを赤色のまま点滅させる。なお、さらに別の色にすることによって対比物理量インディケータが２周目であることを示してもいい。これは、対比物理量インディケータが３周目以上になった場合も同様である。
【０１２９】
また、目標レベルに対する物理量の大きさに応じて音声出力機器から音声を出力する構成とすることも可能である。これは、目標レベルに対する物理量の大きさの比率と、音声出力機器から出力すべき音声データを関連付けたテーブルデータとして保持しておくことによって実現可能である。例えば、目標レベルに対して物理量の大きさが０〜８０％である場合は警報を出力せず、８０〜１００％である場合は目標レベルを超過しそうであることを示す音声を出力し、１００％以上である場合は目標レベル以上であることを示す音声を出力する。また、目標レベルに対して物理量が大きくなるにつれて音のテンポが短くなったり、ボリュームが大きくなったりする構成としてもよい。
【０１３０】
「対比物理量インディケータ駆動部」は、現在時刻が属する時間区分の開始時刻において前記指針の指す対比両用目盛の目盛位置を前記目標レベルに対する物理量の大きさの原点位置とし、現在時刻において前記指針の指す対比両用目盛の目盛位置を現在時刻における物理量の目標レベルの目盛位置として、前記対比物理量インディケータを駆動する機能を有する。対比物理量インディケータ駆動部は、実施形態１、２で説明した物理量インディケータ駆動部に対応する。対比物理量インディケータ駆動部は、具体的には実施形態２で説明したように、物理量の原点位置と、現在時刻において指針が指し示す対比両用目盛の目盛位置と、現在時刻における物理量と目標レベルの比率に基づいて、物理量インディケータを駆動する。
【０１３１】
（発光要素：カウントアップモード）
実施形態１、２、図７などで記載したように、上記の「対比物理量インディケータ」を、対比両用目盛の各目盛位置に対応するように配置された発光要素として、上記の「対比物理量インディケータ駆動部」が、前記原点位置から現在時刻における目標レベルに対する物理量の大きさの目盛位置まで、前記発光要素を点灯させる構成とすることも可能である。
【０１３２】
（発光要素：カウントダウンモード）
なお、図２６に示すように、上記の「対比物理量インディケータ駆動部」が、「現在時刻における目標レベル（２６０１）に対する物理量の大きさ（２６０２）の目盛位置」２６０３から「現在時刻が属する時間区分の終了時刻において前記指針の指す対比両用目盛の目盛位置」２６０４まで、「前記発光要素」２６０５を点灯させる構成とすることも可能である。
【０１３３】
＜具体的な構成＞
本実施形態の時計のハードウェア構成は、基本的に図５を用いて説明した実施形態１の時計のハードウェア構成と共通する。
【０１３４】
ＣＰＵは、水晶発振器からの信号に基づいて指針制御回路に対して所定タイミングで制御信号を送信する。制御信号を受け取った指針制御回路は指針駆動機構を介して指針を制御する。さらに、ＣＰＵは、通信器を介して電波時計情報を定期的に受信し（例えば、１日に６回など）、ＲＡＭにて保持される時刻情報を適宜修正し、指針の位置を調整する。なお、電波時計情報を受信していない間は、ＣＰＵはタイマを用いて時刻情報を更新する。
【０１３５】
また、ＣＰＵは、不揮発性メモリに格納されている２０分単位の各時間区分と関連付けられた消費電力量の目標レベルのデータをＲＡＭに読み出す。ＣＰＵは、現在時刻における消費電力量の目標レベルを、現在時刻が属する時間区分の目標レベルのデータに基づいて算出する処理を行う。具体的には、６時００分から６時２０分までの時間区分の消費電力量の目標レベルが４０ｋＷｈである場合は、６時１０分現在における目標レベルは２０ｋＷｈであると算出する。
【０１３６】
ＣＰＵは、現在時刻が属する時間区分の開始時刻から現在時刻までの消費電力量を外部機器から通信器を介して受信する。当該受信処理は、前半の１０分に関しては１分おきに行い、後半の１０分に関しては３０秒おきに行う。続いて、ＣＰＵは、開始時刻から現在時刻までの消費電力量の値と、現在時刻における目標レベルの値の比率を算出する処理を行い、処理結果をＲＡＭに格納する。また、ＣＰＵは、現在時刻が属する時間区分の開始時刻において分針の指す対比両用目盛の目盛位置を目標レベルに対する消費電力量の大きさの原点位置として設定し、現在時刻において分針の指す対比両用目盛の目盛位置を現在時刻における消費電力量の目標レベルの目盛位置として設定する処理を行う。具体的には、６時００分において分針の指す対比両用目盛の目盛位置（０分の位置）を目標レベルに対する消費電力量の大きさの原点位置として設定し、６時１０分現在において分針の指す対比両用目盛の目盛位置（１０分の位置）を６時１０分現在における消費電力量の目標レベルの目盛位置として設定する処理を行う。
【０１３７】
そして、ＣＰＵは、現在時刻における目標レベルに対する消費電力量の大きさに応じて、上記原点位置と目標レベルの目盛位置を基準として点灯させるべき発光要素数を決定する処理を行う。具体的には、６時００分から６時１０現在までの電力消費量が８ｋＷｈである場合は、点灯させるべき発光要素数は８個であると決定する。さらに、ＣＰＵは、発光制御回路に対して、上記発光要素数の発光要素を上記原点位置から点灯させるための制御信号を出力する。制御信号を受信した発光制御回路は点灯させるべき発光要素を点灯させる。
【０１３８】
＜処理の流れ＞
図２７は、本実施形態の時刻と後記目標レベルに対する物理量の大きさを示すための対比両用目盛を備え、時刻に応じて対比両用目盛を指すための指針を駆動する時計における処理の流れを示すフローチャートである。同図の処理の流れは以下のステップからなる。最初にステップＳ２７０１では、所定時間単位の各時間区分の物理量の目標レベルを取得する（目標レベル取得ステップ）。次にステップＳ２７０２では、現在時刻が属する時間区分の開始時刻から現在時刻までの物理量を、現在時刻が属する時間区分の終了時刻まで所定間隔で取得する（対比物理量取得ステップ）。次にステップＳ２７０３では、現在時刻が属する時間区分の開始時刻において前記指針の指す対比両用目盛の目盛位置を前記目標レベルに対する物理量の大きさの原点位置とし、現在時刻において前記指針の指す対比両用目盛の目盛位置を現在時刻における物理量の目標レベルの目盛位置として、取得した物理量の現在時刻における目標レベルに対する大きさを対比両用目盛にて示すための対比物理量インディケータを駆動する（対比物理量駆動ステップ）。
【０１３９】
＜効果＞
本実施形態の時計により、現在時刻の物理量が目標レベルに対してどれくらいであるかを容易に把握することが可能になる。
【実施形態１０】
【０１４０】
＜概要＞
本実施形態は、請求項１３から１６に記載の発明を把握しやすくするために、上記実施形態１から８に記載の内容をまとめたものである。なお、本実施形態にて追記した内容は、実施形態１から８に記載の対応する構成についても適用することが可能である。
【０１４１】
＜構成＞
図２８は、本実施形態の時計の機能ブロックの一例を示す図である。この図にあるように、本実施形態の「時計」２８００は、「対比両用目盛」２８０１と、「指針」２８０２と、「対比指針駆動部」２８０３と、「対比物理量取得部」２８０４と、「対比物理量予測部」２８０５と、「対比予測量インディケータ」２８０６と、「対比予測量インディケータ駆動部」２８０７と、から構成される。以下、実施形態９にて説明していない「対比物理量予測部」と、「対比予測量インディケータ」と、「対比予測量インディケータ駆動部」と、について説明する。
【０１４２】
「対比物理量予測部」は、前記対比物理量取得部にて取得した物理量に基づいて現在時刻が属する時間区分の終了時刻の物理量を予測する機能を有する。対比物理量予測部は、実施形態４などで説明した物理量予測部に対応する。
【０１４３】
（平均予測モード）
具体的には、実施形態４で述べたように、現在時刻が属する時間区分の開始時刻から現在時刻までの物理量のデータを関数でフィッティングする処理を行い、終了時刻の物理量を予測することも可能である。例えば、３時００分から３時１５分までに５ｋＷｈの電力量が発電された場合は、一次関数でフィッティングする処理を行い、３時３０分までに１０ｋＷｈの電力量が発電されると予測することが考えられる。
【０１４４】
（瞬時予測モード）
なお、単位時間（例えば、１分、２分など）あたりの物理量の変化量（微分量）に基づいて、時間区分の終了時刻の物理量を予測することも可能である。例えば、３時００分から３時１５分までに５ｋＷｈの電力量が消費（又は発電）され、かつ３時１４分から３時１５分までに０．５ｋＷｈの電力量が消費（又は発電）されている場合、３時１５分から３時３０分までに新たに７．５ｋＷｈ（０．５ｋＷｈ×１５）の電力量が消費（又は発電）されると予測し、時間区分全体として１２．５ｋＷｈの電力量が消費（又は発電）されると予測することが考えられる。なお、上記単位時間の値は固定値とする必要はなく、時間区分の終了時刻が近付くにつれて小さい値に変化させていくことも考えられる。例えば、時間区分の開始時刻から３分の１までは単位時間を５分とし、３分の１から３分の２までは単位時間を３分とし、３分の２から終了時刻までを１分とする。このように、時間区分の終了時刻が近付くにつれて単位時間の値を小さくすると、処理負荷とのバランスをとりながら、高い精度で終了時刻の物理量を予測することが可能になる。
【０１４５】
「対比予測量インディケータ」は、前記対比物理量予測部にて予測した物理量の現在時刻が属する時間区分の終了時刻における目標レベルに対する大きさを対比両用目盛にて示すためのものである。対比予測量インディケータは、実施形態４、５などで説明した予測量インディケータに対応する。実施形態５で述べたように、予測物理量は終了時刻における目標レベルと対比するとさらに理解しやすく、終了時刻における物理量の目標レベルを終了時刻において指針の指す対比両用目盛の目盛位置に対応させることにより、対比両用目盛の目盛位置と対比予測量インディケータと対比して終了時刻における予測物理量が目標レベルと比較してどれくらいであるかを即座に把握することが可能になる。
【０１４６】
「対比予測量インディケータ駆動部」は、前記現在時刻が属する時間区分の開始時刻において前記指針の指す対比両用目盛の目盛位置を前記目標レベルに対する物理量の大きさの原点位置とし、現在時刻が属する時間区分の終了時刻において前記指針の指す対比両用目盛の目盛位置を現在時刻が属する時間区分の終了時刻における物理量の目標レベルの目盛位置として、前記対比予測量インディケータを駆動する機能を有する。対比予測量インディケータ駆動部は、実施形態４、５などで説明した予測量インディケータ駆動部に対応する。対比予測量インディケータ駆動部は、具体的には実施形態５で説明したように、物理量の原点位置と、終了時刻において指針が指し示す対比両用目盛の目盛位置と、終了時刻における予測物理量と目標レベルの比率に基づいて、対比予測量インディケータを駆動する。
【０１４７】
（発光要素：カウントアップモード）
上記の「対比予測量インディケータ」を対比両用目盛の各目盛位置に対応するように配置された発光要素として、上記の「対比予測量インディケータ駆動部」が、前記原点位置から現在時刻が属する時間区分の終了時刻において予測される物理量の目標レベルに対する大きさの目盛位置まで、前記発光要素を点灯させる構成とすることも可能である。この内容は、実施形態５、図１５において予測量インディケータ、予測量インディケータ駆動部の説明として記載されている。
【０１４８】
なお、実施形態９で述べた対比物理量インディケータと、対比物理量インディケータ駆動部をさらに設けて、図２９に示すように、「現在時刻における目標レベルに対する物理量の大きさ」２９０１と、「終了時刻における目標レベルに対する予測物理量の大きさ」２９０２を同時に対比両用目盛にて示す構成も可能である。図２９の例では、対比物理量インディケータにより「現在時刻における目標レベルに対する物理量の大きさ」２９０１を示す「対比両用目盛の範囲」と、対比予測量インディケータにより「終了時刻における目標レベルに対する予測物理量の大きさ」２９０２を示す「対比両用目盛の範囲」が一部重なっているため、重なった範囲（現在時刻における目標レベルに対する物理量の大きさ）と他の範囲のインディケータの表示方法（色、点灯・点滅、明るさ、模様など）を異ならせている。
【０１４９】
また、その他の例として、図３０に示すように、対比予測量インディケータ駆動部が、「前記現在時刻が属する時間区分の終了時刻において前記指針の指す対比両用目盛の目盛位置」３００１を終了時刻における目標レベルに対する予測物理量の大きさの原点位置とし、「現在時刻が属する時間区分の終了時刻からさらに同じ時間区分の長さだけ進めた時刻において前記指針の指す対比両用目盛の目盛位置」３００２を終了時刻における予測物理量の目標レベルとして、前記対比予測量インディケータを駆動する構成も考えられる。なお、図３０の例では、対比物理量インディケータと、対比予測量インディケータの表示方法（色、点灯・点滅、明るさ、模様など）を異ならせることによって、互いの領域にはみ出したとしても明確に区別可能である。
【０１５０】
＜具体的な構成＞
本実施形態の時計のハードウェア構成は、基本的に図５を用いて説明した実施形態１の時計のハードウェア構成と共通する。
【０１５１】
ＣＰＵは、水晶発振器からの信号に基づいて指針制御回路に対して所定タイミングで制御信号を送信する。制御信号を受け取った指針制御回路は指針駆動機構を介して指針を制御する。さらに、ＣＰＵは、通信器を介して電波時計情報を定期的に受信し（例えば、１日に６回など）、ＲＡＭにて保持される時刻情報を適宜修正し、指針の位置を調整する。なお、電波時計情報を受信していない間は、ＣＰＵのタイマを用いて時刻情報を更新する。
【０１５２】
また、ＣＰＵは、不揮発性メモリに格納されている３時間単位の各時間区分と関連付けられた発電量の目標レベルのデータをＲＡＭに読み出す。ＣＰＵは、現在時刻が属する時間区分の終了時刻における消費電力量の目標レベルの値を上記データから取得する。具体的には、現在時刻（１３時１０分）が属する１２時００分から１５時００分までの時間区分の発電量の目標レベルが６０ｋＷｈである場合は、その６０ｋＷｈという値を取得する。
【０１５３】
ＣＰＵは、現在時刻が属する時間区分の開始時刻から現在時刻までの発電量を外部機器から通信器を介して受信する。当該受信処理は、前半の１時間半に関しては５分おきに行い、後半の１時間半に関しては２分おきに行う。さらに、ＣＰＵは、取得した発電量のデータに基づいて、開始時刻から終了時刻までの予測発電量を算出する処理を行い、処理結果をＲＡＭに格納する。続いて、ＣＰＵは、算出された予測発電量の値と、終了時刻における目標レベルの値の比率を算出する処理を行い、処理結果をＲＡＭに格納する。また、ＣＰＵは、現在時刻が属する時間区分の開始時刻において時針の指す対比両用目盛の目盛位置を目標レベルに対する予測発電量の大きさの原点位置として設定し、終了時刻において時針の指す対比両用目盛の目盛位置を予測発電量の目標レベルの目盛位置として設定する処理を行う。具体的には、１２時００分において時針の指す対比両用目盛の目盛位置（１２時の位置）を目標レベルに対する予測発電量の大きさの原点位置として設定し、終了時刻である１５時００分において時針の指す対比両用目盛の目盛位置（１５時の位置）を終了時刻における予測発電量の目標レベルの目盛位置として設定する処理を行う。
【０１５４】
そして、ＣＰＵは、算出された予測発電量の大きさに応じて、上記原点位置と上記目標レベルの目盛位置を基準として点灯させるべき発光要素数を決定する処理を行う。具体的には、開始時刻である１２時００分から終了時刻である１５時００分までの予測発電量が１２０ｋＷｈである場合は、点灯させるべき発光要素数は３０個（１５×１２０／６０）であると決定する。さらに、ＣＰＵは、発光制御回路に対して、上記発光要素数の発光要素を上記原点位置から点灯させるための制御信号を出力する。制御信号を受信した発光制御回路は点灯させるべき発光要素を点灯させる。
【０１５５】
＜処理の流れ＞
図３１は、本実施形態の時刻と後記目標レベルに対する物理量の大きさを示すための対比両用目盛を備え、時刻に応じて対比両用目盛を指すための指針を駆動する時計における処理の流れを示すフローチャートである。同図の処理の流れは以下のステップからなる。最初にステップＳ３１０１では、所定時間単位の各時間区分の物理量の目標レベルを取得する（目標レベル取得ステップ）。次にステップＳ３１０２では、現在時刻が属する時間区分の開始時刻から現在時刻までの物理量を、現在時刻が属する時間区分の終了時刻まで所定間隔で取得する（対比物理量取得ステップ）。次にステップＳ３１０３では、取得した物理量に基づいて現在時刻が属する時間区分の終了時刻の物理量を予測する（対比物理量予測ステップ）。次にステップＳ３１０４では、前記現在時刻が属する時間区分の開始時刻において前記指針の指す対比両用目盛の目盛位置を前記目標レベルに対する物理量の大きさの原点位置とし、現在時刻が属する時間区分の終了時刻において前記指針の指す対比両用目盛の目盛位置を現在時刻が属する時間区分の終了時刻における物理量の目標レベルの目盛位置として、予測した物理量の現在時刻が属する時間区分の終了時刻における目標レベルに対する大きさを対比両用目盛にて示すための対比予測量インディケータを駆動する（対比予測量駆動ステップ）。
【０１５６】
＜効果＞
本実施形態の時計により、現在時刻が属する時間区分の終了時刻において予測される物理量が目標レベルに対してどれくらいであるかを容易に把握することが可能になる。
【符号の説明】
【０１５７】
０２００…時計、０２０１…両用目盛、０２０２…指針、０２０３…指針駆動部、０２０４…物理量取得部、０２０５…物理量インディケータ、０２０６…物理量インディケータ駆動部、０５０１…ＣＰＵ、０５０２…ＲＡＭ、０５０３…ＲＯＭ、０５０４…不揮発性メモリ、０５０５…水晶発振器、０５０６…指針制御回路、０５０７…指針駆動回路、０５０８…発光制御回路、０５０９…発光器、０５１０…通信器、０５１１…システムバス、０８０７…第一駆動手段、１００８…第一判断手段、１００９…第一色制御手段、１３０５…物理量予測部、１３０６…予測量インディケータ、１３０７…予測量インディケータ駆動部、１６０８…第二駆動手段、１８０８…第二判断手段、１８０９…第二色制御手段、２００７…電力量取得手段、２２０７…外部情報取得部、２２０８…指針色情報保持部、２２０９…指針色制御手段、２４０１…対比両用目盛、２４０２…指針、２４０３…対比指針駆動部、２４０４…対比物理量取得部、２４０５…対比物理量インディケータ、２４０６…対比物理量インディケータ駆動部、２８０６…対比予測量インディケータ、２８０７…対比予測量インディケータ駆動部
【図１】
2012043096.tif 000003
【図２】
2012043096.tif 000004
【図３】
2012043096.tif 000005
【図４】
2012043096.tif 000006
【図５】
2012043096.tif 000007
【図６】
2012043096.tif 000008
【図７】
2012043096.tif 000009
【図８】
2012043096.tif 000010
【図９】
2012043096.tif 000011
【図１０】
2012043096.tif 000012
【図１１】
2012043096.tif 000013
【図１２】
2012043096.tif 000014
【図１３】
2012043096.tif 000015
【図１４】
2012043096.tif 000016
【図１５】
2012043096.tif 000017
【図１６】
2012043096.tif 000018
【図１７】
2012043096.tif 000019
【図１８】
2012043096.tif 000020
【図１９】
2012043096.tif 000021
【図２０】
2012043096.tif 000022
【図２１】
2012043096.tif 000023
【図２２】
2012043096.tif 000024
【図２３】
2012043096.tif 000025
【図２４】
2012043096.tif 000026
【図２５】
2012043096.tif 000027
【図２６】
2012043096.tif 000028
【図２７】
2012043096.tif 000029
【図２８】
2012043096.tif 000030
【図２９】
2012043096.tif 000031
【図３０】
2012043096.tif 000032
【図３１】
2012043096.tif 000033
【手続補正書】
【提出日】平成25年9月17日(2013.9.17)
【手続補正１】
【補正対象書類名】特許請求の範囲
【補正対象項目名】全文
【補正方法】変更
【補正の内容】
【特許請求の範囲】
【請求項１】
時刻と後記目標レベルに対する物理量の大きさを示すための対比両用目盛と、
時刻に応じて対比両用目盛を指すための指針を駆動する対比指針駆動部と、
対比両用目盛と指針とを用いて示すことが可能な範囲で定められる所定時間単位の時間区分の物理量の目標レベルを取得する目標レベル取得部と、
現在時刻が属する時間区分の開始時刻から現在時刻までの物理量を、現在時刻が属する時間区分の終了時刻まで所定間隔で取得する対比物理量取得部と、
前記対比物理量取得部にて取得した物理量の現在時刻における目標レベルに対する大きさを対比両用目盛にて示すための対比物理量インディケータと、
現在時刻が属する時間区分の開始時刻において前記指針の指す対比両用目盛の目盛位置を前記目標レベルに対する物理量の大きさの原点位置とし、現在時刻において前記指針の指す対比両用目盛の目盛位置を現在時刻における物理量の目標レベルの目盛位置として、前記対比物理量インディケータを駆動する対比物理量インディケータ駆動部と、
を有する時計であって、
目標レベル取得部は、過去に取得した物理量に基づいて目標レベルを算出し取得する履歴依存取得手段を有する時計。
【請求項２】
前記対比物理量インディケータは、対比両用目盛の各目盛位置に対応するように配置された発光要素であり、
前記対比物理量インディケータ駆動部は、前記原点位置から現在時刻における目標レベルに対する物理量の大きさの目盛位置まで、前記発光要素を点灯させることを特徴とする請求項１に記載の時計。
【請求項３】
前記対比物理量インディケータは、対比用目盛の各目盛位置に対応するように配置される発光要素であり、
前記対比物理量インディケータ駆動部は、現在時刻における目標レベルに対する物理量の大きさの目盛位置から現在時刻が属する時間区分の終了時刻において前記指針の指す対比両用目盛の目盛位置まで、前記発光要素を点灯させることを特徴とする請求項１に記載の時計。
【請求項４】
時刻と後記目標レベルに対する物理量の大きさを示すための対比両用目盛と、
時刻に応じて対比両用目盛を指すための指針を駆動する対比指針駆動部と、
対比両用目盛と指針とを用いて示すことが可能な範囲で定められる所定時間単位の時間区分の物理量の目標レベルを取得する目標レベル取得部と、
現在時刻が属する時間区分の開始時刻から現在時刻までの物理量を、現在時刻が属する時間区分の終了時刻まで所定間隔で取得する対比物理量取得部と、
前記対比物理量取得部にて取得した物理量に基づいて現在時刻が属する時間区分の終了時刻の物理量を予測する対比物理量予測部と、
前記対比物理量予測部にて予測した物理量の現在時刻が属する時間区分の終了時刻における目標レベルに対する大きさを対比両用目盛にて示すための対比予測量インディケータと、
前記現在時刻が属する時間区分の開始時刻において前記指針の指す対比両用目盛の目盛位置を前記目標レベルに対する物理量の大きさの原点位置とし、現在時刻が属する時間区分の終了時刻において前記指針の指す対比両用目盛の目盛位置を現在時刻が属する時間区分の終了時刻における物理量の目標レベルの目盛位置として、前記対比予測量インディケータを駆動する対比予測量インディケータ駆動部と、
を有する時計であって、
目標レベル取得部は、過去に取得した物理量に基づいて目標レベルを算出し取得する履歴依存取得手段を有する時計。
【請求項５】
前記対比予測量インディケータは、対比両用目盛の各目盛位置に対応するように配置された発光要素であり、
前記対比予測量インディケータ駆動部は、前記原点位置から現在時刻が属する時間区分の終了時刻において予測される物理量の目標レベルに対する大きさの目盛位置まで、前記発光要素を点灯させることを特徴とする請求項４に記載の時計。
【請求項６】
前記対比物理量取得部は、現在時刻が属する時間区分の開始時刻から現在時刻までの消費電力量又は発電量又は売電量又は買電量を取得する電力量取得手段を有する請求項１から５のいずれか一に記載の時計。
【請求項７】
目標レベル取得部は、通信回線又は操作入力機器から所定時間単位の各時間区分の物理量の目標レベルの入力を受け付けて記憶する入力記憶手段を有する請求項１から６のいずれか一に記載の時計。
【手続補正２】
【補正対象書類名】明細書
【補正対象項目名】００１２
【補正方法】変更
【補正の内容】
【００１２】
以下に、本発明の実施形態を説明する。実施形態と請求項の相互の関係は、以下のとおりである。実施形態１は、主に請求項１などに対応する。実施形態２は、主に請求項１などに対応する。実施形態３は、主に請求項１などに対応する。実施形態４は、主に請求項１などに対応する。実施形態５は、主に請求項１などに対応する。実施形態６は、主に請求項１などに対応する。実施形態７は、主に請求項１などに対応する。実施形態８は、主に請求項１などに対応する。実施形態９は、主に請求項１、２、３、６、７に対応する。実施形態１０は、主に請求項４、５、６、７に対応する。なお、本発明はこれらの実施形態に何ら限定されるものではなく、その要旨を逸脱しない範囲内において、様々な態様で実施しうる。
【国際調査報告】
2012043096.tif 000034
2012043096.tif 000035
2012043096.tif 000036
2012043096.tif 000037